【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
互いに対向する第１の内部反射面と第２の内部反射面とを有する第１の導光板と、
前記第１の導光板内部に向けて側面方向から第１の照明光を照射する第１の光源と、
前記第１の導光板の前記第２の内部反射面に対して対向配置され、互いに対向する第３の内部反射面と第４の内部反射面とを有する第２の導光板と、
前記第２の導光板内部に向けて側面方向から第２の照明光を照射する第２の光源と、
を備え、
前記第１の内部反射面または前記第２の内部反射面の一方に、前記第１の光源からの前記第１の照明光を散乱させて前記第１の内部反射面から前記第１の導光板の外部に出射させる複数の第１の散乱エリアが設けられ、
前記第３の内部反射面または前記第４の内部反射面の一方に、前記第２の光源からの前記第２の照明光を散乱させて前記第３の内部反射面から前記第２の導光板の外部に出射させる複数の第２の散乱エリアが設けられている
光源デバイス。
【請求項２】
前記第２の内部反射面に前記第１の散乱エリアが設けられ、
前記第３の内部反射面に前記第２の散乱エリアが設けられ、
前記第２の内部反射面と前記第３の内部反射面とが互いに対向配置されている
請求項１に記載の光源デバイス。
【請求項３】
前記第１の散乱エリアは、前記第１の内部反射面または前記第２の内部反射面において、第１の方向に延在すると共に、第２の方向に複数、並列的に配列され、
前記第２の散乱エリアは、前記第３の内部反射面または前記第４の内部反射面において、前記第１の方向に延在すると共に、前記第２の方向に複数、並列的に配列され、
前記第１の散乱エリアと前記第２の散乱エリアとが、前記第２の方向に交互に配列されている
請求項１に記載の光源デバイス。
【請求項４】
前記第１の散乱エリアの前記第２の方向の配列ピッチと、前記第２の散乱エリアの前記第２の方向の配列ピッチとが同じ大きさであり、
前記第２の散乱エリアは、前記第１の散乱エリアに対して前記第２の方向において前記配列ピッチの半分の大きさだけずれた位置に配列されている
請求項３に記載の光源デバイス。
【請求項５】
前記第１の導光板と前記第２の導光板との側面方向の相対位置を変化させる位置調整機構をさらに備えた
請求項１ないし４のいずれか１つに記載の光源デバイス。
【請求項６】
前記第１の導光板および前記第２の導光板は、複数の視点画像を表示する表示部に向けて画像表示用の光を出射するものであり、
前記位置調整機構は、前記表示部に表示される視点画像の数に応じて前記第１の導光板と前記第２の導光板との側面方向の相対位置を変化させる
請求項５に記載の光源デバイス。
【請求項７】
前記第２の導光板に対して、前記第４の内部反射面が形成された側に対向配置され、前記第４の内部反射面に向けて外側から第３の照明光を照射する第３の光源をさらに備えた
請求項１ないし６のいずれか１つに記載の光源デバイス。
【請求項８】
第１の導光板と、
前記第１の導光板に対して対向配置される第２の導光板と、
第１の光源と、
第２の光源と
を備え、
前記第１の導光板は、前記第１の光源からの光を散乱させる複数の第１の散乱エリアを有し、
前記第２の導光板は、前記第２の光源からの光を散乱させる複数の第２の散乱エリアを有し、
前記複数の第１の散乱エリアおよび前記複数の第２の散乱エリアはそれぞれ第２の方向に配列され、
前記第２の散乱エリアは、前記第２の方向において前記第１の散乱エリアからずれた位置に配列され、
前記第１の光源および前記第２の光源は時分割で交互に点灯状態となるように制御される
光源デバイス。
【請求項９】
画像表示を行う表示部と、
前記表示部に向けて画像表示用の光を出射する光源デバイスと
を備え、
前記光源デバイスは、
互いに対向する第１の内部反射面と第２の内部反射面とを有する第１の導光板と、
前記第１の導光板内部に向けて側面方向から第１の照明光を照射する第１の光源と、
前記第１の導光板の前記第２の内部反射面に対して対向配置され、互いに対向する第３の内部反射面と第４の内部反射面とを有する第２の導光板と、
前記第２の導光板内部に向けて側面方向から第２の照明光を照射する第２の光源と、
を備え、
前記第１の内部反射面または前記第２の内部反射面の一方に、前記第１の光源からの前記第１の照明光を散乱させて前記第１の内部反射面から前記第１の導光板の外部に出射させる複数の第１の散乱エリアが設けられ、
前記第３の内部反射面または前記第４の内部反射面の一方に、前記第２の光源からの前記第２の照明光を散乱させて前記第３の内部反射面から前記第２の導光板の外部に出射させる複数の第２の散乱エリアが設けられている
表示装置。
【請求項１０】
前記第２の導光板に対して、前記第４の内部反射面が形成された側に対向配置され、前記第４の内部反射面に向けて外側から第３の照明光を照射する第３の光源をさらに備えた
請求項９に記載の表示装置。
【請求項１１】
前記表示部は、３次元画像データに基づく複数の視点画像と２次元画像データに基づく画像とを選択的に切り替え表示するものであり、
前記第３の光源は、前記表示部に前記複数の視点画像を表示する場合には、非点灯状態に制御され、前記表示部に前記２次元画像データに基づく画像を表示する場合には、点灯状態に制御される
請求項１０に記載の表示装置。
【請求項１２】
前記表示部に前記複数の視点画像を表示する場合には、前記第１の光源および前記第２の光源の少なくとも一方が点灯状態となるように制御され、
前記表示部に前記２次元画像データに基づく画像を表示する場合には、前記第１の光源および前記第２の光源の少なくとも一方が非点灯状態または点灯状態となるように制御される
請求項１１に記載の表示装置。
【請求項１３】
前記表示部に前記複数の視点画像を表示する場合において、
前記第１の光源および前記第２の光源を時分割で交互に点灯状態となるように制御し、
前記表示部に表示する前記複数の視点画像の表示状態を、前記第１の光源および前記第２の光源の時分割制御に同期させて変化させる
請求項１２に記載の表示装置。
【請求項１４】
前記第２の導光板に対して、前記第４の内部反射面が形成された側に対向配置され、入射した光線に対する作用を、光吸収状態と散乱反射状態との２つの状態に選択的に切り替え可能な光学デバイスをさらに備えた
請求項９に記載の表示装置。
【請求項１５】
前記第１の導光板に対して、前記第１の内部反射面が形成された側に対向配置され、入射した光線に対する作用を、透明状態と拡散透過状態との２つの状態に選択的に切り替え可能な光学デバイスをさらに備えた
請求項９に記載の表示装置。
【請求項１６】
画像表示を行う表示部と、
前記表示部に向けて画像表示用の光を出射する光源デバイスと
を備え、
前記光源デバイスは、
第１の導光板と、
前記第１の導光板に対して対向配置される第２の導光板と、
第１の光源と、
第２の光源と
を備え、
前記第１の導光板は、前記第１の光源からの光を散乱させる複数の第１の散乱エリアを有し、
前記第２の導光板は、前記第２の光源からの光を散乱させる複数の第２の散乱エリアを有し、
前記複数の第１の散乱エリアおよび前記複数の第２の散乱エリアはそれぞれ第２の方向に配列され、
前記第２の散乱エリアは、前記第２の方向において前記第１の散乱エリアからずれた位置に配列され、
前記第１の光源および前記第２の光源は時分割で交互に点灯状態となるように制御される
表示装置。